(57)【要約】【課題】外観上見栄えがよく、しかも、製造コストが安いハンディー無線通信機を提供する。【解決手段】外郭ケース５と機器本体シャーシ１との間に衝撃吸収用ダンパー８、１２ａ、１３ａを介在させた。【選択図】        図１
2007036522.tif 000002
【特許請求の範囲】
【請求項１】
外郭ケースと機器本体シャーシとの間に衝撃吸収用ダンパーを介在させたことを特徴とするハンディー無線通信機。
【請求項２】
前記外郭ケースと機器本体シャーシとの間に衝撃吸収用ダンパーと共に衝撃吸収用ダンパーとは分離された防水用パッキングを介在させた請求項１のハンディー無線通信機。
【請求項３】
前記外郭ケースと機器本体シャーシとの間に衝撃吸収用ダンパーと共に衝撃吸収用ダンパーと一体の防水用パッキングを介在させた請求項１のハンディー無線通信機。
【請求項４】
機器本体シャーシの上面部と両側面上半部を上面部外郭ケースで覆い、機器本体シャーシの前面部、両側面下半部および下面部を前面部外郭ケースで覆い、前記前面部外郭ケースと機器本体シャーシとの間に衝撃吸収用ダンパーを介在させたことを特徴とするハンディー無線通信機。
【請求項５】
前記上面部外郭ケースの両側面にＰＴＴキーおよびマイクロホンコードコネクタを固定した請求項４のハンディー無線通信機。
【請求項６】
前記前面部外郭ケースと機器本体シャーシとの間に衝撃吸収用ダンパーと共に衝撃吸収用ダンパーとは分離された防水用パッキングを介在させた請求項４または５のハンディー無線通信機。
【請求項７】
前記前面部外郭ケースと機器本体シャーシとの間に衝撃吸収用ダンパーと共に衝撃吸収用ダンパーと一体の防水用パッキングを介在させた請求項４または５のハンディー無線通信機。
【発明の詳細な説明】
【技術分野】
【０００１】
この発明はハンディー無線通信機に係わり、特に、その耐衝撃構造に関する。
【背景技術】
【０００２】
従来のハンディー無線通信機の例を図４〜図８を参照して説明する。図４は従来のハンディー無線通信機の概略の外観を示す。フロントケース２０には図５にも詳しく示すように機器本体シャーシ１がねじ１４、１４で取付けられ、その前面、上面、下面および両側面を覆っている。
【０００３】
フロントケース２０の上面から操作用のつまみ２１、２１…を突出させている。なお、フロントケース２０の両側面には図６に示すゴムつまみ２２、エスカッション２３と、図７に示すマイクロホンコードコネクタ２４の取付け部が設けられているが、図４ではこれらの図示を省略している。
【０００４】
ハンディー無線通信機、すなわち、手で持ちながら使用する携帯用無線機は落下衝撃から機器を保護するために機器の外面に図４に示すような衝撃吸収用ダンパー２７、２７を固着していた。衝撃吸収用ダンパーの材質はエラストマー樹脂やゴムが一般的である。このような衝撃吸収用ダンパーにより落下して受ける衝撃を減衰し、機器内部の電気部品の故障の発生を防止している。
【０００５】
また、従来のハンディー無線通信機は図５に示すように、機器本体シャーシ１にトップパネル３が固定されており、トップパネル３から突出する回転電子部品の回転軸がフロントケース２０のつまみ用穴２０ａ、２０ａ…から突出しそれにつまみ２１、２１…が取付けられている。なお、機器本体シャーシ１はハンディー無線通信機の回路を構成するプリント基板が収納されている。
【０００６】
さらに、フロントケース２０の側面にはＰＴＴ（push to talk) スイッチ作動用のキーを含むサイドキーやマイクロホンコードコネクタの取付け部が設けられている。図６はこのサイドキーの構成を示している。
【０００７】
図６に示すフロントケース２０の側面にはサイドキー用穴２０ｂ、２０ｂ…が設けられ、その上にゴムつまみ２２を挟むようにしてエスカッション２３が嵌着されている。このゴムつまみ２２の背面には機器本体シャーシ１に固定された図５に示すスイッチ基板２に設けられた対向するパターンに圧接されることによりこのパータン間を導通させる導体箔が設けられている。この導体箔の形成されたゴムつまみとスイッチ基板のパターンによりメンブレンスイッチが構成されている。
【０００８】
ゴムつまみ２２の各突起はエスカッション２３の穴から突出しており、真ん中の突起がＰＴＴスイッチ作動用のキーである。このキーを押したときに送話状態となる。なお、サイドキーが操作するスイッチとして、上記構成のメンブレンスイッチの代わりにタクトスイッチを用いてもよい。
【０００９】
フロントケース２０の上記サイドキーの設けられた側面と反対側の側面には図７に示すマイクロホンコードコネクタ２４の固定部が設けられている。マイクロホンコード２５に接続されたマイクロホンコードコネクタ２４には爪２４ａとねじ挿通穴２４ｂが設けられている。
【００１０】
フロントケース２０の上記側面には爪嵌合穴２０ｃ、本体機器シャーシに設けられた本体側コネクタ１ｃを露出させる穴および本体機器シャーシ１に設けられたコネクタ固定用ねじ穴１ｂを露出させる穴が設けられている。
【００１１】
マイクロホンコードコネクタ２４をフロントケース２０に固定するには、先ず爪２４ａを爪嵌合穴２０ｃに係合させ、この係合部回りにマイクロホンコードコネクタ２４を回動させてマイクロホンコードコネクタ２４の接点部（図７で見えてない）を本体側コネクタ１ｃに嵌合させる。その後、ねじ挿通穴２４ｂを挿通したねじ２６をコネクタ固定用ねじ穴１ｂにねじ込んでマイクロホンコードコネクタ２４を固定する。
【００１２】
特開平１１−１７９６８８号公報に提案された操作盤は操作盤の筐体と電子回路を落下の衝撃から保護するために、操作盤の筐体１に外周部からはみ出す形状寸法の保護プレート７を設けている。
【特許文献１】特開平１１−１７９６８８号公報、要約、図１
【発明の開示】
【発明が解決しようとする課題】
【００１３】
上記した図４に示す従来のハンディー無線通信機または特開平１１−１７９６８８号公報に提案された操作盤は、外郭にダンパーや保護プレートを設けているために、外観の形状がよくなく、デザインの自由度が極端に小さくなる。
【００１４】
また、ダンパーを設けるために２重成形とする場合は、金型が高価なものとなる。ダンパーを外郭に貼付ける場合も貼付けのための工程が増えて製造コストが高くなり、剥がれる恐れがある。さらに、ダンパーが外郭と別材料のエラストマーやゴムである場合は外観に出るため、材料の選択肢が狭くなり、汚れやすく、汚れが目立つという問題がある。
【００１５】
また、図５〜図６で説明した従来のハンディー無線通信機では、図８（ａ）に示すようにフロントケース２０が変形していないときはよいが、図８（ｂ）および（ｃ）に示すようにフロントケース２０が変形したときに問題が生じる。なお、図８ではサイドキー２２（ゴムつまみ）で作動させるスイッチとしてタクトスイッチが描かれている。タクトスイッチの作動ストロークは一般的に０．２５ｍｍである。
【００１６】
図８（ｂ）に示すようにフロントケース２０ず矢印の方向に広がると、サイドキー２２を動作させるときの感覚が悪くなり、また、マイクロホンコードコネクタ２４が接触不良となることがある。図８（ｃ）に示すようにフロントケース２０ず矢印の方向に狭まると、タクトスイッチが常時接触状態となったり、マイクロホンコードコネクタ２４が過圧状態となることがあった。
【００１７】
さらに、従来のハンディー無線通信機はフロントケース２０が図５に示すように、上面まで繋がっているため、保守のために分解しようとすると、つまみ２１、２１…を外す必要があった。また、フロントケース２０を機器本体シャーシ１から外すとマイクロホンコードコネクタ２４が固定できず不便であった。
【００１８】
この発明は上記した点に鑑みてなされたものであって、その目的とするところは、外観上見栄えがよく、しかも、製造コストが安いハンディー無線通信機を提供することにある。この発明の他の目的は、保守の行いやすい。ハンディー無線通信機を提供することである。
【課題を解決するための手段】
【００１９】
この発明のハンディー無線通信機は、外郭ケースと機器本体シャーシとの間に衝撃吸収用ダンパーを介在させたものである。
【００２０】
また、前記ハンディー無線通信機において、前記外郭ケースと機器本体シャーシとの間に衝撃吸収用ダンパーと共に衝撃吸収用ダンパーとは分離された防水用パッキングを介在させたものである。
【００２１】
また、同ハンディー無線通信機において、前記外郭ケースと機器本体シャーシとの間に衝撃吸収用ダンパーと共に衝撃吸収用ダンパーと一体の防水用パッキングを介在させたものである。
【００２２】
また、この発明のハンディー無線通信機は、機器本体シャーシの上面部と両側面上半部を上面部外郭ケースで覆い、機器本体シャーシの前面部、両側面下半部および下面部を前面部外郭ケースで覆い、前記前面部外郭ケースと機器本体シャーシとの間に衝撃吸収用ダンパーを介在させたものである。
【００２３】
また、前記ハンディー無線通信機において、前記上面部外郭ケースの両側面にＰＴＴキーおよびマイクロホンコードコネクタを固定したものである。
【００２４】
また、前記各ハンディー無線通信機において、前記前面部外郭ケースと機器本体シャーシとの間に衝撃吸収用ダンパーと共に衝撃吸収用ダンパーとは分離された防水用パッキングを介在させたものである。
【００２５】
また、同各ハンディー無線通信機において、前記前面部外郭ケースと機器本体シャーシとの間に衝撃吸収用ダンパーと共に衝撃吸収用ダンパーと一体の防水用パッキングを介在させたものである。
【発明の効果】
【００２６】
この発明のハンディー無線通信機によれば、外観上見栄えがよく、デザインの自由度が高く、しかも、製造コストが安く、落下衝撃により故障する恐れがない。
【発明を実施するための最良の形態】
【００２７】
以下この発明を実施するための最良の形態を実施例に即して説明する。
【実施例１】
【００２８】
図１（ａ）はこの発明の実施例１であるハンディー無線通信機の機器本体シャーシを示す分解斜視図、図１（ｂ）は同ハンディー無線通信機の外郭ケースを示す斜視図、図１（ｃ）〜（ｆ）は同ハンディー無線通信機に用いられる衝撃吸収用ダンパーと防水用パッキングの例を示す斜視図である。
【００２９】
図１（ａ）に示す機器本体シャーシ１は図５で説明した従来のハンディー無線通信機１と同様にスイッチ基板２が固定され、さらに、スピーカ４（図５では図示を省略している）が固定されている。機器本体シャーシ１の上面にはトップパネル３が嵌着され、トップパネル３の穴から機器本体シャーシ１内部に固定された回転電子部品の回転軸が突出する。但し、図１（ａ）ではその回転軸は見えていない。
【００３０】
この機器本体シャーシ１の上面、下面、両側面および前面を覆う図１（ｂ）に示す外郭ケース５が後で詳しく説明するように図３で示すねじ１４で機器本体シャーシ１に連結され、前記回転軸は機器本体シャーシ１上面の穴から突出しつまみが取り付けられる。これらの機器本体シャーシ１と外郭ケース５の間には図１（ｃ）〜（ｆ）のいずれかに示す衝撃吸収用ダンパー、防水用のパッキング等が介装される。
【００３１】
図１（ｃ）に示す８は撃吸収用ダンパーであり、機器本体シャーシ１の下面、両側面と外郭ケース５の間に込まれる。１０は枠状パッキングであり、機器本体シャーシ１の前面の全周と外郭ケース５との間に挟みこまれ、機器本体シャーシ１への防水を行う。リング状のスピーカパッキング９はスピーカ４の周囲と外郭ケース５との間に挟みこまれ、スピーカへの防水を行う。図１（ｃ）に示す撃吸収用ダンパー８等は夫々が分離しているため、夫々に最適の材料を用いることができ、防水性能や衝撃吸収性能を高めることが可能となる。
【００３２】
図１（ｄ）に示す１１はスピーカパッキング部１１ａが一体に形成された面状パッキングであり、その周囲に設けられた鰭状部が機器本体シャーシ１の前面の全周と外郭ケース５との間に挟み込まれれ、機器本体シャーシ１への防水を行う。リング状のスピーカパッキング部１１ａはスピーカ４の周囲と外郭ケース５との間に挟みこまれ、スピーカへの防水を行う。
【００３３】
８は撃吸収用ダンパーであり、機器本体シャーシ１の下面、両側面と外郭ケース５の間に挟み込まれる。この面状パッキング１１は面形状であるため、取扱やすく組み立て作業が簡単となる。また、撃吸収用ダンパー８等は面状パッキング１１と分離しているため、夫々に最適の材料を用いることができ、防水性能や衝撃吸収性能を高めることが可能となる。
【００３４】
図１（ｅ）に示すスピーカパッキング９は図１（ｃ）で説明したものと同様である。図１（ｅ）に示す枠状パッキング１２には衝撃吸収ダンパー部１２ａ、１２ａ…が一体に形成されている。枠状パッキング１２は機器本体シャーシ１の前面の全周と外郭ケース５との間に挟みこまれ、機器本体シャーシ１への防水を行う。衝撃吸収ダンパー部１２ａ、１２ａ…は機器本体シャーシ１の下面、両側面と外郭ケース５の間に挟み込まれる。この衝撃吸収ダンパー部１２ａと枠状パッキング１２の枠の部分の材質が同じであれば、製造が簡単であり部品および組立てコストを安くできる。
【００３５】
図１（ｆ）に示す面状パッキング１３にはスピーカパッキング部１３ａと衝撃吸収ダンパー部１３ｂ、１３ｂ…が一体に形成されている。面状パッキング１３の周囲に設けられた鰭状部が機器本体シャーシ１の前面の全周と外郭ケース５との間に挟み込まれれ、機器本体シャーシ１への防水を行う。リング状のスピーカパッキング１３ａはスピーカ４の周囲と外郭ケース５との間に挟みこまれ、スピーカへの防水を行う。衝撃吸収用ダンパー部１３ｂ、１３ｂ…は機器本体シャーシ１の下面、両側面と外郭ケース５の間に挟み込まれる。このようにパッキングとダンパーが一体となっていると部品管理や組み立てのコストが安くなる。
【００３６】
図３により上記衝撃吸収ダンパーや衝撃吸収ダンパー部の作用を説明する。図３（ａ）および図３（ｂ）の断面は外郭ケース５と機器本体シャーシ１を連結するねじ１４の中心軸が通る断面であり、図３（ｃ）および図３（ｄ）の断面はねじ１４のない部分の断面である。
【００３７】
ねじ１４は機器本体シャーシ１のねじ挿通穴１ａを挿通して外郭ケース５のボス５ａに設けられたねじ穴にねじ込まれる。ねじ挿通穴１ａの内径はねじ１４の外径よりかなり大きくこの間に大きいクリアランスが存在する。
【００３８】
図３（ａ）および（ｃ）は実施例のハンディー無線通信機が落下衝撃を受けていない状態を示しており、このとき機器本体シャーシ１は衝撃吸収用ダンパー８の弾力により持ち上げられねじ１４はねじ挿通穴１ａの中心位置にある。
【００３９】
ハンディー無線通信機が落下衝撃を受けると機器本体シャーシ１は図３（ｂ）および（ｄ）に矢印に示すように下方向に移動しねじ１４はねじ挿通穴１ａの上端位置にくる。そして、このとき衝撃吸収用ダンパー８は図示のδの寸法だけ圧縮される。この圧縮力により衝撃が吸収されて機器本体シャーシ１内部の部材が保護される。
【００４０】
このように衝撃吸収用ダンパーが外部に現れないため、外観デザインを優れたものとすることができ、しかも、落下衝撃から機器本体シャーシ１内部の部材を保護できる。そして、外郭ケースと衝撃吸収用ダンパーとを一体に成形するような難易度の高い部品を用いる必要がなくなる。また、衝撃吸収用ダンパーが外郭ケースの内部に配置されるため、その材質の硬度の選択の自由度が高くなる。さらに、防水対応とする場合は、衝撃吸収用ダンパーを防水用パッキングと一体化することにより製造コストを安くできる。
【実施例２】
【００４１】
図２（ａ）はこの発明の実施例２であるハンディー無線通信機の機器本体シャーシを示す分解斜視図、図２（ｂ）は同ハンディー無線通信機の前面部外郭ケースを示す斜視図、図２（ｃ）〜（ｆ）は同ハンディー無線通信機に用いられる衝撃吸収用ダンパーと防水用パッキングの例を示す斜視図である。
【００４２】
この例では外郭ケースが機器本体シャーシ１の上面部と両側面上半部を覆う上面部外郭ケース６と、機器本体シャーシ１の前面部、両側面下半部および下面部を覆う前面部外郭ケース７に分けられている。
【００４３】
図２（ａ）に示す上面部外郭ケース６は機器本体シャーシ１に締着され、その上面の穴から操作つまみが突出し、両側面部には従来の例で説明したＰＴＴキーを含むサイドキーとマイクロホンコードコネクタ固定部が設けられている。
【００４４】
図２（ｂ）に示す前面部外郭ケース７は機器本体シャーシ１に図３で説明したようにクリアランスを持たせてねじで連結され、前面部外郭ケース７と機器本体シャーシ１との間には図２（ｃ）〜（ｆ）のいずれかに示す衝撃吸収用ダンパー、防水用のパッキング等が介装される。これら衝撃吸収用ダンパー等の構成は実施例１で説明したものと同様であり、詳細な説明を省略する。
【００４５】
実施例２のハンディー無線通信機は上記実施例１のハンディー無線通信機の特長を有すると共に、上面部外郭ケース６が小型の部品であり変形しにくく、これが機器本体シャーシ１と一体となるため、サイドキーの操作感覚を一定に保ち、また、マイクロホンコードコネクタの嵌合圧力を一定に保つことが可能となる。
【００４６】
そして、機器本体シャーシ１をフローティング状態に支持する前面部外郭ケース７はマイクロホンコードコネクタの固定部等がないため機器本体シャーシ１を完全にフローティング状態とすることができ、耐衝撃性が高められる。
【００４７】
また、外郭ケースが２分割されて小型の部品となるために、反り等による不良品の発生の恐れが少ない。さらに、操作つまみを外さず、マイクロホンコードコネクタを取付けたまま組立て時の検査やサービスを行うことが可能である。
【００４８】
実施例は以上のように構成されているが、発明はこれに限られず、例えば、防水性能を必要としない場合は、機器本体シャーシと外郭ケースの間にパッキングを介在させず、衝撃吸収用ダンパーのみを介在させてもよい。
【００４９】
また、実施例で用いた面状パッキング１１または１３に、外郭ケース５または７に設けた穴から突出する突状の操作つまみを形成し、この操作つまみの背面に導体箔を設け、その操作つまみを押すことにより対向する基板パターンを前記導体箔で閉成し、制御動作を行うようにしてもよい。このような構成によりハンディー無線通信機の部品点数や組立て工数を減少させることができる。
【図面の簡単な説明】
【００５０】
【図１】図１（ａ）はこの発明の実施例１であるハンディー無線通信機の機器本体シャーシを示す分解斜視図、図１（ｂ）は同ハンディー無線通信機の外郭ケースを示す斜視図、図１（ｃ）〜（ｆ）は同ハンディー無線通信機に用いられる衝撃吸収用ダンパーと防水用パッキングの例を示す斜視図である。
【図２】図２（ａ）はこの発明の実施例２であるハンディー無線通信機の機器本体シャーシを示す分解斜視図、図２（ｂ）は同ハンディー無線通信機の前面部外郭ケースを示す斜視図、図２（ｃ）〜（ｆ）は同ハンディー無線通信機に用いられる衝撃吸収用ダンパーと防水用パッキングの例を示す斜視図である。
【図３】図３（ａ）〜（ｄ）はこの発明の実施例１および２のハンディー無線通信機の作用を説明する部分断面図である。
【図４】従来のハンディー無線通信機の外観の例を示す斜視図である。
【図５】同ハンディー無線通信機を示す部分分解斜視図である。
【図６】同ハンディー無線通信機を示す部分分解斜視図である。
【図７】同ハンディー無線通信機を示す部分分解斜視図である。
【図８】同ハンディー無線通信機の作用を説明するための断面図である。
【符号の説明】
【００５１】
１  機器本体シャーシ、１ａ  ねじ挿通穴、１ｂ  コネクタ固定用ねじ穴、１ｃ  本体側コネクタ
２  スイッチ基板
３  トップパネル
４  スピーカ
５  外郭ケース、５ａ  ボス
６  上面部外郭ケース
７  前面部外郭ケース
８  衝撃吸収用ダンパー
９  スピーカパッキング
１０  枠状パッキング
１１  面状パッキング、１１ａ  スピーカパッキング部
１２  枠状パッキング、１２ａ  衝撃吸収用ダンパー部
１３  面状パッキング、１３ａ  スピーカパッキング部、１３ｂ  衝撃吸収用ダンパー  部
１４  ねじ
２０  フロントケース、２０ａ  つまみ用穴、２０ｂ  サイドキー用穴、２０ｃ  爪嵌合用穴
２１  つまみ
２２  ゴムつまみ
２３  エスカッション
２４  マイクロホンコードコネクタ、２４ａ  爪、２４ｂ  ねじ挿通穴
２５  マイクロホンコード
２６  コネクタ固定ねじ
２７  衝撃吸収用ダンパー
【図１】
2007036522.tif 000003
【図２】
2007036522.tif 000004
【図３】
2007036522.tif 000005
【図４】
2007036522.tif 000006
【図５】
2007036522.tif 000007
【図６】
2007036522.tif 000008
【図７】
2007036522.tif 000009
【図８】
2007036522.tif 000010